(57)【要約】      （修正有）【課題】  閉店後においても広告塔としても機能し、斬新な構造の簡易店舗を提供する。【解決手段】  互いに一致する多角形輪郭形体で成る台座１と天井材２を、前記多角形輪郭形体の少くも互いに隣接する二辺同士において、仕切り壁３で接続して店舗主体Ａを構成する。該店舗主体Ａの前記台座１を作業台４を設けて店員の専用区域５と成す一方、前記仕切り壁３の側端に、閉店時に前記台座１及び天井材２を取り囲んで前記仕切り壁３とで多角筒状を成す開閉壁Ｂ，Ｂの基部を回動自在に枢着する。そして、開閉壁Ｂと前記仕切り壁３の外面には適宜の広告事項を施すと共に、開閉壁の内面には商品展示手段を設ける。【選択図】図２
2006280852.tif 000002
【特許請求の範囲】
【請求項１】
互いに一致する多角形輪郭形体で成る台座と天井材を、前記多角形輪郭形体の少くも互いに隣接する二辺同士において、仕切り壁で接続して店舗主体を構成し、該店舗主体の前記台座を作業台を設けて店員の専用区域と成す一方、前記仕切り壁の側端に、閉店時に前記台座及び天井材を取り囲んで前記仕切り壁とで多角筒状を成す開閉壁の基部を回動自在に枢着し、該開閉壁と前記仕切り壁の外面には適宜の広告事項を施すと共に、開閉壁の内面には商品陳列手段を設けた、簡易店舗。
【発明の詳細な説明】
【技術分野】
【０００１】
本発明は、駅や商店街などのコンコースで一時的に設置して利用する、簡易店舗に関するものである。
【背景技術】
【０００２】
例えば、駅のコンコースのような人通りの多い所では地方の特産展など各種のイベントが行われるが、その際に出店に用いられる店舗は、単に販売物を単に展示するための陳列台が用いられているのが一般である。
【発明の開示】
【発明が解決しようとする課題】
【０００３】
従来は、陳列台に商品を並べて陳列するだけで店舗を展開することができる利便性はあるが、デパート内のように一定の管理下で行われる場合はともかくも、駅のように不特定多数人が往来する所においては、閉店後、売れ残りの当該商品を防犯上片付け、次の日に再度陳列する必要がある等の不便さがある。また、陳列台にしても、当該個所に設置したままで許されるとしても、外観的見栄えが良好といえない。
【０００４】
本発明は斯様な従来の簡易店舗の欠点を除去すると同時に、広告表示機能も兼ね備え、機能的に優れた簡易店舗を提供すべく創案したものである。
【課題を解決するための手段】
【０００５】
互いに一致する多角形輪郭形体で成る台座と天井材を、前記多角形輪郭形体の少くも互いに隣接する二辺同士において、仕切り壁で接続して店舗主体を構成し、該店舗主体の前記台座を作業台を設けて店員の専用区域と成す一方、前記仕切り壁の側端に、閉店時に前記台座及び天井材を取り囲んで前記仕切り壁とで多角筒状を成す開閉壁の基部を回動自在に枢着し、該開閉壁と前記仕切り壁の外面には適宜の広告事項を施すと共に、開閉壁の内面には商品陳列手段を設けた構成とするのである。
【発明の効果】
【０００６】
本発明によれば、閉店時にはコンパクトとなって、しかも、角筒状の外周面全体を広告展示部として適用した広告塔として機能させることができ、従って、閉店後においても邪魔な物体として認識されることのない、広告媒体物として有効に利用することができる。
【０００７】
また、開店時には、中央部に配した店舗主体に対して左右の開閉壁が翼状に拡開した斬新な形態の店舗構えと同時に開閉壁内面に陳列手段が備わっているため、直ぐに営業ができ斬新な店舗を提供することができ、なおかつ、店舗としての背面側が広告媒体物として機能するから駅のコンコース等の中央において商品の展示効果と広告事項の広告効果を期待するに耐え得る簡易店舗を提供することができる。
【実施例】
【０００８】
図面は本発明に係る簡易店舗の一実施例を示し、図１は略示正面図、図２は閉店時の状態を示す一部欠截略示平面図である。
【０００９】
図示Ａは店舗主体で、店舗主体Ａは、平面視正六角形輪郭形体の台座１と、該台座１と平面視輪郭形が同形な天井材２を、前記六角形の互いに連続する後側一半の三辺部において店舗内外を区画する仕切り壁３で互いに接続して構成したものである。
【００１０】
この店舗主体Ａの前記台座１の前端側には作業台４を設け、該作業台４と前記仕切り壁３とで外部と区画される台座１上部を、店員の専用区域５と成し、該専用区域５は、前記仕切り壁３の両側端間を結ぶ線上に配した隔壁６で内外の区域５ａ，５ｂに分割し、前記仕切壁３側の内側区域５ａをロッカーとして適用できるようにし、外側区域５ｂを店番区域と成し、該店番区域を前記作業台４の一端側に設けたスイングドア７を介して外部と、また、前記隔壁６の一端側に配した開閉扉８を介して前記内側区域５ａとそれぞれ出入り自在と成し、内側区域５ａは前仕切り壁３の一側壁３ａに装置した開閉扉９を介しても外部と連通する。
【００１１】
店舗主体Ａの前記仕切り壁３の側端には、閉店時に前記正角形状の台座および天井材を取り囲んで前記仕切り壁３で六角筒状を成す開閉壁Ｂ，Ｂの基部を回動自在に枢着してある。
【００１２】
開閉壁Ｂは、前記台座１や天井材２の多角形状の内角とほぼ一致する６０度の角度を持たせて互いに連続する一対の構成壁１１ａ，１１ｂとで成り、一方の構成壁１１ａを蝶番１０を介して前記仕切り壁３に回動自在に枢着し、他の一方の構成壁１１ｂは、閉店時に前後方向に重なり合い、図示省略施錠装置によって閉店時の前記重なり状態を殊に、防犯上維持するようにしたものである。なお、構成壁１１ｂは、施錠ができる仕組であれば、前後に重なり合う形状でなくても良い。
【００１３】
実施例の簡易店舗を構成する店舗主体Ａと該店舗主体Ａに蝶番１０を介して回動（開閉）自在に接続した前記一対の開閉壁Ｂ，Ｂのそれぞれの素材は、金属、木、樹脂等自由であるが、簡易店舗としての性格上、少くも移送自由で、しかも、駅等のコンコースで組立て自在であるべきで、この意味で鉄等の重量の嵩む素材は最小限にとめ、アルミ材などで軽量化を図るのが望ましい。
【００１４】
そして、実施例のものは、開閉壁Ｂの構成壁１１ａ，１１ｂの外面１１ａ´，１１ｂ´と一方の構成壁１１ｂの内面１１ｂ´´および店舗主体Ａの前記仕切り壁３の中央構成材３ａと左右の構成材３ｂ，３ｃの外面３ａ´，３ｂ´，３ｃ´や天井材２の前面２ａ´，２ｂ´，２ｃ´には図示省略した広告事項を絵図、文字、図形等の手段を用いて表示し、開閉壁Ｂの一方の構成壁１１ａの内面には商品陳列手段１３を設けて当該店舗の商品を展示するようにしてある。
【００１５】
なお、前記仕切り壁の外面に構成壁１１ａに施した商品陳列手段１３と同一又は異なる展示手段を設けても良く、前記の作業台４を商品陳列のために適用しても差し支えはない。
【００１６】
なお、商品陳列１３としては、例えば、構成壁１１ａ側に多孔板を張設したり、或いは多孔板に代る受材を並設したりして、これらにフックを取付けて該フックに直接商品を掛止したり、該フックに受棚を掛止して該受棚に商品を載置したりする場合や、構成壁１１ａにフックなどの樹脂材を直接的に装置して該フックなどを用いて商品を陳列する等自在に選択して良い。
【００１７】
開閉壁Ｂは、拡開時に図２の位置に限ることなく、任意の位置にすることも可能である。
【００１８】
また、広告事項は、広告事項を表示したシート体を開閉壁に貼着したり、開閉壁にペンキ等で表示したりする等々自由に選択すべきである。
【００１９】
実施例の場合は、閉店時に六角筒状を構成するようにしてあるが、八角筒状、四角筒状でも差し支えがなく、要は、閉店時に面積の嵩ばらない正多筒状体が最善である。
【図面の簡単な説明】
【００２０】
【図１】略示正面図。
【図２】閉店時の状態を示す一部欠截略示平面図。
【符号の説明】
【００２１】
１      台座
２      天井材
３      仕切り壁
４      作業台
５      専用区域
Ａ      店舗主体
Ｂ      開閉壁
【図１】
2006280852.tif 000003
【図２】
2006280852.tif 000004